(57)【要約】      （修正有）【課題】液体を貯留する貯留槽において、側パネルの板厚を薄く設定して、鉛直方向の端部を曲げ成形しなくても、側柱に溶接接合される連結部で、貯留槽の内部に貯留される水圧に対する応力が、偏在することがなくなる特徴を損なわないように側パネルの鉛直方向の両端部の剛性を高め、施工性と品質の向上となる構造を提供する。【解決手段】取り付けられる側パネル１の鉛直方向の両端部に剛性を高める効果がある補強ビード３加工を施すことで、側パネルの変形が抑止され施工性と品質の向上となる。【選択図】図４
0003185336.tif 000002
【実用新案登録請求の範囲】
【請求項１】
側パネルの溶接された部位に貯留槽の内部に貯留される水圧に対する応力が、大きく偏在しない固定構造で、取り付けられる側パネルの鉛直方向の両端部に剛性を高める効果がある補強ビード加工を施すことで、側パネルの変形が抑止され施工性と品質の向上となることを特徴とする側パネル構造。
【請求項２】
設定された膨出部の曲率に成形された側パネルと鉛直方向にそれぞれ並んで立設された側柱の側パネルとの溶接面を同じ曲率にすることで、一方及び他方の側パネル端部の外側面を側柱に溶接される固定構造により、側パネルは板厚が薄く設定できる又は端部の成形を簡略できることになるが、さらに側パネルの鉛直方向の両端部に剛性を高める補強ビード加工を施すことで、発生する変形が抑止され、施工性と品質の向上となることを特徴とする側パネル構造。
【請求項３】
前記成形された側パネルの固定構造において、取り付けられる側パネルの鉛直方向の両端部に剛性を高めるためのビードを加工することで、側パネルの鉛直方向への変形が抑止され側柱への溶接による取り付けを容易なものとした施工性の向上を特徴とする側パネル構造。
【請求項４】
前記成形された側パネルの固定構造において、取り付けられる側パネルの鉛直方向の両端部に剛性を高めるための補強ビード加工することで、接合部は溶接の熱影響による側パネルの変形が抑止され品質の向上となることを特徴とする側パネル構造。
【考案の詳細な説明】
【技術分野】
【０００１】
本考案は、水道水や雨水、又は薬品、若しくは飲料用食品等の液体を貯留する貯留槽の側パネル構造に関し、補強ビード加工を施すことで、施工性と品質の向上となる構造に係わる。
【背景技術】
【０００２】
従来、上記水道水等の液体を貯留するために使用される貯留槽の側パネルは、同一形状に成型されているものであり、補強用のビードや溝又は中央に膨出部が形成されているもの等様々な形状に成形されたものが使用されている。
【０００３】
例えば、特許文献１に開示された貯留槽では、側パネルの四方縁部を曲げ成形により連結部が形成されるとともに、連結部の外端部に補強ビードが曲げ成形される。さらに、中央部に断面円弧状の膨出部を成形するが、これは側パネルの状態で、ベンディングロール又はプレスにより曲げ成形されている。こうした側パネルの一方又は他方の連結部をお互いに両側で溶接することにより貯留槽の周壁を形成するタイプの貯留槽と側パネルの一方又は他方の連結部の間に鉛直材を介して溶接するタイプの貯留槽が開示されている。
【先行技術文献】
【特許文献】
【０００４】
【特許文献１】特開２０００−４３９８６号公報
【考案の概要】
【考案が解決しようとする課題】
【０００５】
しかしながら、上述した成形された側パネルでは、溶接により連結する端部は曲げ成形されており、貯留槽の内部に貯留される水圧に対する応力が、その部分に大きく偏在することになる。これが軽減されれば、それぞれの側パネルの板厚を厚くする又は側パネルの四方縁部を曲げ成形する必要性が緩和される。
【０００６】
その手段として、側パネルを溶接により連結する端部を曲げ成形しないで、水平方向に設定された膨出部の曲率に成形し、それが鉛直方向にそれぞれ並んで立設された側柱の側パネル溶接面と同じ曲率になることで、連結部には貯留槽の内部に貯留される水圧に対する応力が、偏在することがなくなる。
【０００７】
しかしこの状態では、側パネル中央部は剛性が確保できるが、端部が上下のみ曲げ成形された状態では、施工段階で起こる側パネルの鉛直方向への変形による施工性の低下や側パネルの連結部が溶接接合される時の溶接熱による変形が発生することとなる。
【課題を解決するための手段】
【０００８】
そこで、本考案は上述した貯留槽の側パネルを側柱に取り付ける方法における課題を側パネルの膨出部形成の特性を損なうことなく、側パネルの両端部の剛性を高める補強ビード加工により、施工性と品質の向上となる構造を目的とする。
【０００９】
本考案は、上記課題を解決するために提案されたものであって、請求項１に記載の考案は、側パネルに行う補強ビード加工に関わるものであって、側パネルを側柱に取り付ける前の段階で、側柱の溶接面に溶接される側パネルの両端から中央部寄りの鉛直方向に剛性を高める補強ビード加工を施すことが特徴である。
【００１０】
この請求項１に記載の考案は、側パネルを側柱への取り付ける作業工程で発生する、例えば鉛直方向の膨らみなどの変形が抑止され、施工性の向上となる。また、側パネルの連結部の溶接作業における溶接熱による変形が抑止され熱変形が発生せず、側パネルの品質の向上となる。
【００１１】
請求項２に記載の考案は、上記請求項１において、端部を上下のみ曲げ成形した側パネルを水平方向に、設定された膨出部の曲率に成形した側パネルの両端から中央部寄りの鉛直方向に剛性を高める補強ビード加工を施すことが特徴である。
【００１２】
この請求項２に記載の考案では、その形状から側パネルの板厚を薄くして端部を上下のみ曲げ成形したものを側柱への取り付ける作業工程で発生する、例えば鉛直方向の膨らみなどの変形が抑止され、施工性の向上となる。また、連結部の溶接作業における溶接熱が、側パネルに影響することが抑止され熱変形が発生せず、側パネルの品質の向上となる。
【００１３】
請求項３に記載の考案は、側パネルを側柱に取り付ける前の段階で、側柱の溶接面に溶接される側パネルの両端それぞれの溶接部から中央部寄りの鉛直方向に剛性を高めるため補強ビード加工を施すことで側パネルの運搬や取り付けの作業で起こる、例えば鉛直方向の膨らみなどの変形が抑止され、施工性の向上となる。
【００１４】
請求項４に記載の考案は、側パネルを側柱に取り付ける前の段階で、側柱の溶接面に溶接される側パネルの両端それぞれの溶接部から中央部寄りの鉛直方向に剛性を高めるため補強ビード加工を施すことで側パネルを側柱に取り付ける溶接による溶接熱の影響で起こる変形が抑止され、側パネルの品質の向上となる。
【考案の効果】
【００１５】
本考案の請求項１に記載のパネル構造によれば、剛性を高める加工をすることで、施工性と品質の向上や大幅なコストダウンとなる。
【００１６】
本考案の請求項２に記載のパネル構造によれば、剛性を高める加工をすることで、側パネルの板厚を薄くすることになり、さらに曲げ成形が水平方向の上下部のみになるなど施工性と品質の向上や大幅なコストダウンとなる。
【００１７】
本考案の請求項３に記載のパネル構造によれば、剛性を高める加工をすることで、側パネルの運搬や取り付けの作業で起こる、例えば膨らみなどの変形の発生が抑止され施工性の向上となる。
【００１８】
本考案の請求項４に記載のパネル構造によれば、剛性を高める補強ビード加工では、側パネル端部の溶接部と中央部が剛性を高めたビードにより切り離され、中央部に溶接の熱影響による変形が発生することなく、側パネルの品質の向上となる。
【図面の簡単な説明】
【００１９】
【図１】本考案の実施形態に係わる貯留槽を示す正面図である。
【図２】図１に示す貯留槽の平断面図である。
【図３】側パネルの透視図である。
【図４】中央部が湾曲して補強ビード加工した側パネルの状態を示す断面図である。
【図５】側パネルと側柱の溶接部の詳細図である。
【符号の説明】
【００２０】
１  側パネル
２  側柱
３  補強ビード
４  側柱の側パネルとの溶接面
５  側パネルの上下端部
【考案を実施するための形態】
【００２１】
以下、本考案を実施するための形態に係わる側パネル１について図面を参照して説明する。
【００２２】
この側パネル１は、ステンレススチールを素材としてなるものであり、図１又は図２に示すように貯留槽において鉛直に立設された側柱２に、側パネル１の鉛直方向両端部の外側面を溶接で取り付けを行うものである。
【００２３】
側パネル１は図３に示すように、水平方向を設定された膨出部の曲率に成形して、上下の端部５は曲げ成形を行う。また、成形をしない鉛直方向の両端部は、中央部寄りに剛性を高める効果がある補強ビード加工３をおこなってある。
【００２４】
側パネル１の側柱２への取り付けは図４に示すように、側柱２の側パネル１と同じ曲率である溶接面４に、側パネル１の鉛直方向の両端部の外側面を溶接する。
【００２５】
側パネル１と側柱２の溶接接合部詳細を図５に示すように、このパネル構造であれば貯留槽の内部に貯留される水圧に対する応力が、偏在することがなくなる。
【図１】
0003185336.tif 000003
【図２】
0003185336.tif 000004
【図３】
0003185336.tif 000005
【図４】
0003185336.tif 000006
【図５】
0003185336.tif 000007
【手続補正書】
【提出日】平成25年4月8日(2013.4.8)
【手続補正１】
【補正対象書類名】実用新案登録請求の範囲
【補正対象項目名】全文
【補正方法】変更
【補正の内容】
【実用新案登録請求の範囲】
【請求項１】
側パネルを溶接により連結する端部を曲げ成形しないで、水平方向に設定された膨出部の曲率に成形し、それが鉛直方向にそれぞれ並んで立設された側柱の側パネル溶接面と同じ曲率になることで、連結部には貯留槽の内部に貯留される水圧に対する応力が、偏在することがなくなる固定構造で、取り付けられる側パネルの鉛直方向の両端部に剛性を高める効果がある補強ビード加工を施すことで、側パネルの変形が抑止され施工性と品質の向上となることを特徴とする側パネル構造。
【請求項２】
設定された膨出部の曲率に成形された側パネルと鉛直方向にそれぞれ並んで立設された側柱の側パネルとの溶接面を同じ曲率にすることで、一方及び他方の側パネル端部の外側面を側柱に溶接される固定構造により、側パネルは板厚が薄く設定できる又は端部の成形を簡略できることになるが、さらに側パネルの鉛直方向の両端部に剛性を高める補強ビード加工を施すことで、発生する変形が抑止され、施工性と品質の向上となることを特徴とする側パネル構造。
【請求項３】
設定された膨出部の曲率に成形された側パネルと鉛直方向にそれぞれ並んで立設された側柱の側パネルとの溶接面を同じ曲率にすることで、一方及び他方の側パネル端部の外側面を側柱に溶接される固定構造において、取り付けられる側パネルの鉛直方向の両端部に剛性を高めるためのビードを加工することで、側パネルの鉛直方向への変形が抑止され側柱への溶接による取り付けを容易なものとした施工性の向上を特徴とする側パネル構造。
【請求項４】
設定された膨出部の曲率に成形された側パネルと鉛直方向にそれぞれ並んで立設された側柱の側パネルとの溶接面を同じ曲率にすることで、一方及び他方の側パネル端部の外側面を側柱に溶接される固定構造において、取り付けられる側パネルの鉛直方向の両端部に剛性を高めるための補強ビード加工することで、接合部は溶接の熱影響による側パネルの変形が抑止され品質の向上となることを特徴とする側パネル構造。
【手続補正書】
【提出日】平成25年6月10日(2013.6.10)
【手続補正１】
【補正対象書類名】明細書
【補正対象項目名】全文
【補正方法】変更
【補正の内容】
【考案の詳細な説明】
【技術分野】
【０００１】
本考案は、水道水や雨水、又は薬品、若しくは飲料用食品等の液体を貯留する貯留槽の側パネル構造に関し、補強ビード加工を施すことで、施工性と品質の向上となる構造に係わる。
【背景技術】
【０００２】
従来、上記水道水等の液体を貯留するために使用される貯留槽の側パネルは、同一形状に成型されているものであり、補強用のビードや溝又は中央に膨出部が形成されているもの等様々な形状に成形されたものが使用されている。
【０００３】
例えば、特許文献１に開示された貯留槽では、側パネルの四方縁部を曲げ成形により連結部が形成されるとともに、連結部の外端部に補強ビードが曲げ成形される。さらに、中央部に断面円弧状の膨出部を成形するが、これは側パネルの状態で、ベンディングロール又はプレスにより曲げ成形されている。こうした側パネルの一方又は他方の連結部をお互いに両側で溶接することにより貯留槽の周壁を形成するタイプの貯留槽と側パネルの一方又は他方の連結部の間に鉛直材を介して溶接するタイプの貯留槽が開示されている。
【先行技術文献】
【特許文献】
【０００４】
【特許文献１】特開２０００−４３９８６号公報
【考案の概要】
【考案が解決しようとする課題】
【０００５】
しかしながら、上述した特許文献1に開示された貯留槽の成形された側パネルでは、溶接により連結する端部は曲げ成形されており、貯留槽の内部に貯留される水圧に対する応力が、その部分に大きく偏在することになる。これが軽減されれば、それぞれの側パネルの板厚を厚くする又は側パネルの四方縁部を曲げ成形する必要性が緩和される。
【０００６】
その手段として提案された、新規な側パネルは溶接により連結する端部を曲げ成形しないで、中央部に断面円弧状の膨出部を成形するが、その曲率が鉛直方向にそれぞれ並んで立設された側柱の側パネルとの溶接面が同じ曲率になることで、連結部には貯留槽の内部に貯留される水圧に対する応力が、偏在することがなくなる。
【０００７】
しかしこの状態では、側パネル中央部は剛性が確保できるが、端部が上下のみ曲げ成形された状態では、貯留槽を溶接組立する施工段階で起こる側パネルの鉛直方向への変形による施工性の低下や側パネルの連結部が溶接接合される時の溶接熱による変形が発生することとなる。
【課題を解決するための手段】
【０００８】
そこで、本考案は上述した貯留槽の新規な側パネルを側柱に取り付ける方法における課題を側パネルの膨出部形成の特性を損なうことなく、側パネルの両端部の剛性を高める補強ビード加工により、施工性と品質の向上となる構造を目的とする。
【０００９】
本考案は、上記課題を解決するために提案されたものであって、請求項１に記載の考案は、側パネルに行う補強ビード加工に関わるものであって、側パネルを側柱に取り付ける前の段階で、側柱の溶接面に溶接される側パネルの両端から中央部寄りの鉛直方向に剛性を高める補強ビード加工を施すことが特徴である。
【００１０】
この請求項１に記載の考案は、側パネルを側柱への取り付ける作業工程で発生する、例えば鉛直方向の膨らみなどの変形が抑止され、施工性の向上となる。また、側パネルの連結部の溶接作業における溶接熱による変形が抑止され熱変形が発生せず、側パネルの品質の向上となる。
【考案の効果】
【００１１】
本考案の請求項１に記載のパネル構造によれば、剛性を高める加工をすることで、施工性と品質の向上や大幅なコストダウンとなる。
【図面の簡単な説明】
【００１２】
【図１】本考案の実施形態に係わる貯留槽を示す正面図である。
【図２】図１に示す貯留槽の平断面図である。
【図３】側パネルの透視図である。
【図４】中央部が湾曲して補強ビード加工した側パネルの状態を示す断面図である。
【図５】側パネルと側柱の溶接部の詳細図である。
【符号の説明】
【００１３】
１  側パネル
２  側柱
３  補強ビード
４  側柱の側パネルとの溶接面
５  側パネルの上下端部
【考案を実施するための形態】
【００１４】
以下、本考案を実施するための形態に係わる側パネル１について図面を参照して説明する。
【００１５】
この側パネル１は、ステンレススチールを素材としてなるものであり、図１又は図２に示すように貯留槽において鉛直に立設された側柱２に、側パネル１の鉛直方向両端部の外側面を溶接で取り付けを行うものである。
【００１６】
側パネル１は図３に示すように、水平方向を設定された膨出部の曲率に成形して、上下の端部５は曲げ成形を行う。また、成形をしない鉛直方向の両端部は、中央部寄りに剛性を高める効果がある補強ビード加工３をおこなってある。
【００１７】
側パネル１の側柱２への取り付けは図４に示すように、側柱２の側パネル１と同じ曲率である溶接面４に、側パネル１の鉛直方向の両端部の外側面を溶接する。
【００１８】
側パネル１と側柱２の溶接接合部詳細を図５に示すように、このパネル構造であれば貯留槽の内部に貯留される水圧に対する応力が、偏在することがなくなる。
【手続補正２】
【補正対象書類名】実用新案登録請求の範囲
【補正対象項目名】全文
【補正方法】変更
【補正の内容】
【実用新案登録請求の範囲】
【請求項１】
水平方向に所定の曲率を有する膨出部を備えた側パネルと、鉛直方向に立設された側板と、を備えた側パネル構造であって、前記側パネルの両端部と前記側柱の側パネル溶接面とは溶接固定されており、前記側パネルの両側側端部は、曲げ成形されておらず、前記側柱の側パネル溶接面と同じ曲率になっており、前記側パネルの両側端部の内側には、補強ビード加工が施されていることを特徴とする側パネル構造。